(57)【特許請求の範囲】
【請求項１】
出力信号に対応する電位差を利用してノズルから記録媒体に吐出させるインク組成物であって、
該インク組成物が、次式［Ｉ］で表される含フッ素エーテル化合物、次式［II］で表される芳香族含フッ素化合物、次式［III］で表されるパーフルオロアルケン、次式［IV］で表されるフルオロアルカンおよび次式［V］で表されるジクロロペンタフルオロプロパンよりなる群から選ばれる少なくとも１種類の含フッ素化合物を含有することを特徴とするインク組成物；
【化１】
0004033564.tif 000016
［ただし、上記式［Ｉ］において、
Ｚは、フッ素原子または水素原子であり、
Ｑは、−ＣＦ2−、−ＣＨ2−または−Ｃ6Ｈ4−のいずれかであり、
ｍは、１〜５の整数であり、
Ｘは、―（ＣaＨ2a）−、−（Ａ）bＣＨ（Ｂ）−、−ＣcＦ2c−、−ＣdＦ2d-2−および−ＣeＦ2e-4−よりなる群から選ばれる一種類の基であり（ここでＡは−ＣＦ2−または−ＣＦ2ＣＨ2−であり、Ｂは−ＣＦ3またはフッ素原子であり、ａは１〜３の整数、ｂは０または１、ｃは１〜１２の整数、ｄは２〜１２の整数、ｅは３〜１２の整数である）、
ｎは０または１〜１３の整数であり、
Ｙはフッ素原子または水素原子である。］、
【化２】
0004033564.tif 000017
［ただし、上記式［II］において、
Ｘは、それぞれ独立に、ＣjＦ2j+1  （ｊは１〜４の整数）であり、
Ｙはそれぞれ独立に塩素原子またはフッ素原子であり、
かつ０≦ｎ≦５、０≦ｍ≦５、０≦ｎ＋ｍ≦５の関係を有する。］、
【化３】
0004033564.tif 000018
［ただし、式［III］において、ｎは４〜１２の整数を表す。］、
【化４】
0004033564.tif 000019
［ただし、式［IV］において、ｎは４〜１０の整数を表し、ＸおよびＹはそれぞれ独立にフッ素原子または水素原子を表す。］、
【化５】
0004033564.tif 000020
【請求項２】
上記インク組成物が、含フッ素化合物１００重量部に対して０.１〜１５重量部の量の色材を含有することを特徴とする請求項第１項記載のインク組成物。
【請求項３】
上記インク組成物が、含フッ素化合物１００重量部に対して３０重量％以下の量の色材可溶化剤を含有することを特徴とする請求項第１項記載のインク組成物。
【請求項４】
上記インク組成物が引火点を有していないことを特徴とする請求項第１項記載のインク組成物。
【請求項５】
前記含フッ素化合物が、横軸が導電率σであり縦軸が粘度ηであって作動温度と作動電圧における流体の導電率σと粘度ηとの関係を示すグラフにおいて、導電率σ＝４×１０-10S/m,粘度η＝１×１０0Pa・sで表される点Ｐ、導電率σ＝４×１０-10S/m,粘度η＝1×１０-4Pa・sで表される点Ｑ、導電率σ＝５×１０-6S/m,粘度η＝１×１０-4Pa・sで表される点Ｒを頂点とする直角三角形の内部に位置する導電率σおよび粘度ηを有することを特徴とする請求項第１項記載のインク組成物。
【発明の詳細な説明】
【０００１】
【発明の技術分野】
本発明は、インクを吐出するノズルを電極として非一様電界を形成することにより、このノズルから吐出されるインク組成物に関する。
【０００２】
【発明の技術的背景】
近年、パーソナルコンピューター等の情報機器は凄まじい勢いで普及しており、これに伴って情報を記録するプリンターも種々の形式のものが市販されている。
【０００３】
こうしたプリンターを記録形式によって大別すると、ワイヤードットプリンター、感熱転写型プリンター、インクジェット型プリンター、レーザープリンター等がある。これらの各種プリンターの中で、インクジェット型プリンターは、比較的小型軽量であり、しかも多色印刷が可能であることから、広範に使用されている。こうしたインクジェット型プリンターで採用されている記録方式としてインクを加熱して気泡を発生させてこの気泡発生によりインクを噴出するようにしたバブルジェット方式、ピエゾ素子を用いてインクを噴出させる方式等がある。
【０００４】
しかしながら、例えばバブルジェット方式では、インクを繰り返し加熱することから、インクが熱劣化しやすく、また消費電力が大きい。さらに、ピエゾ素子を用いた方式では、駆動するのに高電圧が必要であり、かつ消費電力も大きい。
【０００５】
さらに、これらのインクジェット方式では、構造が複雑なため大規模な印字ヘッドを製作するのが困難であり、消費電力も大きいため、複数の大型プリンターヘッドを配置することは実際上できないので、小型のプリンターヘッドを左右に移動させなければならず、このためにプリンターヘッド移動モータが必要である。こうしたモータが駆動することにより騒音を生ずるという問題を生ずるばかりか、印字スピードも遅い。また、このようなバブルジェット方式あるいはピエゾ素子を用いたインクの噴出方式では、一回の電圧印加（パルス電圧印加）に対して１回のインク吐出しかできず、連続的なインク吐出はできなかった。さらに、こうした方式では、インクを吐出させるために１ドット毎にポンプ室を設ける必要があり、さらにこのポンプ室における加圧によってインクが逆流しないようにインクタンクとポンプ室とは毛細管で連結する必要がある。このようにポンプ室を設けることによりインク吐出部の構造が複雑化する。さらに、インクが毛細管の中で凝集することがあり、インクの供給を長期間安定に供給することが難しいという問題もある。
【０００６】
これとは別に、インクジェット方式として、ドロップオンデマンド型のインクジェット記録方式がある。この方式で使用されるインクとして、外部電界から電圧を印加することにより粘度が増加（場合によっては非流動体となる）するという電気レオロジー（ＥＲ）特性を有するインク組成物（ＥＲインク組成物）が提案されている（例えば、特開昭５５−１１７６６３号公報、特開平２−１７２７４６号公報、日本印刷学会誌第２７巻第３号第２８３頁参照）。
【０００７】
すなわち、このようなＥＲインク組成物は、電気絶縁性媒体中にＥＲ粒子を分散したものであり、このドロップオンデマンド型のインクジェット記録方式では、ＥＲインク組成物を相対する電極の間に充填し電圧を印加した場合に電極間に生ずる電場の作用によってＥＲインク組成物中に分散しているＥＲ粒子が分極し、さらにこの分極に基づく静電引力によって電場方向にＥＲ粒子が配位連結して外部剪断流動に対する抵抗力となって、インク組成物の吐出を止め（OFF状態にし）、インク組成物を吐出させる際には、電圧を印加しないことによりインク組成物が本来有している流動性を発現させ、外部剪断流動によってインク組成物を吐出させる（ON状態にする）ことによりインク組成物の吐出を制御している。ここでＥＲ効果は、電圧を印加することによりＥＲインク組成物中にＥＲ粒子を配向連結することによる外部剪断流動に抗する抵抗力として、すなわちＥＲ粒子をＥＲインク組成物の吐出を制御するストップバルブとして機能させる力の発生源として利用されている。
【０００８】
このような従来のＥＲインク組成物に用いられているＥＲ粒子としては、比重１.２以下の主としてポリマー物質を芯材とし、その芯材に親水性化合物を被覆した粒子も提案されており（特開平３−１６２４９４号公報）、このような粒子を用いたＥＲインク組成物としても知られている（特開平４−２５７４８５号公報）。
【０００９】
このような従来のＥＲインク組成物を用いたプリンターでは、ＥＲインク組成物には、常に圧力がかかった状態（外部剪断流動状態）にあり、こうした圧力のかかったＥＲインク組成物中のＥＲ粒子にストップバルブの機能を発現させるために電圧を印加してＥＲ粒子を配向連結しているのである。従って、こうしたプリンターを使用する場合には、インクを吐出させるわずかな時間を除いて、ＥＲインク組成物に電圧を常時印加し続ける必要があった。また、こうしたＥＲ粒子を配列連結して充分なストップバルブ機能を発揮させるためには、相当高い印加電圧が必要になる。すなわち、ドロップオンデマンド型のインクジェット記録方式では、ＥＲインク組成物中のＥＲ粒子に充分なストップバルブ機能を発現させるために相当高い印加電圧が必要になり、かつこの高い電圧をプリンターを駆動させている間、インクを吐出させる極短時間を除いて常にかけ続けなければならないために、消費電力が相当大きくなるという問題がある。
【００１０】
さらに、このドロップオンデマンド型のインクジェット記録方式では、上記のように一つのノズルにかける印加電圧が大きいために、一台のプリンターで使用できるノズルの数には制限があり、限られた数のノズルを移動させながら記録を行う必要がある。こうしたノズルの駆動は、モーター等の駆動装置で行われるため、駆動装置による騒音も問題になっている。
【００１１】
また、こうしたＥＲインク組成物は、ＥＲ粒子を含有しており、ＥＲインク組成物を吐出する際には、こうしたＥＲ粒子が吐出ノズルに設けられた電圧印加用電極およびオリフィス壁と接触しながらＥＲインク組成物が吐出される。このＥＲ粒子として上述のように無機粒子等が用いられており、こうしたＥＲ粒子とノズル内周壁面との接触によってノズル内周壁面が相当摩耗し、この摩耗によって生じた摩耗粉がＥＲインク組成物に混入することにより、ＥＲインク組成物のＥＲ特性が変動し、場合によっては電極間に異常電流が流れる等の問題を引き起こす要因にもなりかねない。
【００１２】
さらに、上記のＥＲインク組成物はＥＲ粒子が絶縁性媒体に分散した状態の組成物であり、こうしたＥＲインク組成物中におけるＥＲ粒子の分散安定性にも問題がある。すなわち、こうしたＥＲインク組成物を長期間使用しない場合等には、ＥＲ粒子が沈殿する虞があり、こうしてＥＲ粒子が一旦沈殿してしまったＥＲインク組成物では、電圧を印加してもＥＲ粒子の配列連結によるストップバルブ機能が充分に発現しなくなる。
【００１３】
こうした状況下に、本発明者は、上記のような機構のプリンターとは全く異なる電気感応作動媒体を用いたプリンターについて発明し既に出願している（特願平９−２９０８１９号明細書および図面、平成10年(1998)10月23日提出の特許願の明細書および図面参照）。
【００１４】
これらの明細書および図面に記載した記録装置は、例えば特開平９−２９０８１９号公報に開示されているような電気感応作動媒体（電気共役流体(Electro-Conjugate Fluid = ECF)を用いた記録装置であり、基本的な構成は、基部電極、インク吐出電極および引き電極を有し、基部電極とインク吐出電極との間および／またはインク吐出電極と引き電極との間に電圧を印加することにより、着色された電気感応作動媒体からなるインク組成物をインク吐出電極であるノズルから記録媒体（例：紙）に吐出させて記録するという構成である。
【００１５】
本発明はこうしたＥＣＦ流体を用いた記録装置に特に好適に使用することができる新規なインク組成物を提供するものである。
【００１６】
【発明の目的】
すなわち、本発明は、ＥＣＦ流体を用いた記録装置に特に適したインク組成物を提供することを目的としている。
【００１７】
【発明の概要】
本発明のインク組成物は、出力信号に対応する電位差を利用してノズルから記録媒体に吐出させるインク組成物であって、
該インク組成物が、次式［Ｉ］で表される含フッ素エーテル化合物、次式［II］で表される芳香族含フッ素化合物、次式［III］で表されるパーフルオロアルケン、次式［IV］で表されるフルオロアルカンおよび次式［V］で表されるジクロロペンタフルオロプロパンよりなる群から選ばれる少なくとも１種類の含フッ素化合物を含有することを特徴としている。
【００１８】
【化６】
0004033564.tif 000002
【００１９】
ただし、上記式［Ｉ］において、
Ｚは、フッ素原子または水素原子であり、
Ｑは、−ＣＦ2−、−ＣＨ2−または−Ｃ6Ｈ4−のいずれかであり、
ｍは、１〜５の整数であり、
Ｘは、―（ＣaＨ2a）−、−（Ａ）bＣＨ（Ｂ）−、−ＣcＦ2c−、−ＣdＦ2d-2−および−ＣeＦ2e-4−よりなる群から選ばれる一種類の基であり（ここでＡは−ＣＦ2−または−ＣＦ2ＣＨ2−であり、Ｂは−ＣＦ3またはフッ素原子であり、ａは１〜３の整数、ｂは０または１、ｃは１〜１２の整数、ｄは２〜１２の整数、ｅは３〜１２の整数である）、
ｎは０または１〜１３の整数であり、
Ｙはフッ素原子または水素原子である。
【００２０】
【化７】
0004033564.tif 000003
【００２１】
ただし、上記式［II］において、
Ｘは、それぞれ独立に、ＣjＦ2j+1  （ｊは１〜４の整数）であり、
Ｙはそれぞれ独立に塩素原子またはフッ素原子であり、
かつ０≦ｎ≦５、０≦ｍ≦５、０≦ｎ＋ｍ≦５の関係を有する。
【００２２】
【化８】
0004033564.tif 000004
【００２３】
ただし、式［III］において、ｎは４〜１２の整数を表す。
【００２４】
【化９】
0004033564.tif 000005
【００２５】
ただし、式［IV］において、ｎは４〜１０の整数を表し、ＸおよびＹはそれぞれ独立に水素原子またはフッ素原子を表す。
【００２６】
【化１０】
0004033564.tif 000006
【００２７】
上記のような含フッ素化合物は、単独または不燃性含フッ素化合物とくみあわせることにより、不燃性のインク組成物を調整することができる。このため比較的高電圧を使用するＥＣＦ流体を用いた記録装置において、機械的な不備等によって、万一スパーク等が生じたとしても本発明のインク組成物は引火することがなく、安全に記録装置を使用し続けることができる。
【００２８】
【発明の具体的な説明】
次に本発明のインク組成物について具体的に説明する。
本発明のインク組成物は、出力信号に対応する電位差を利用してノズルから記録媒体に吐出させる記録装置に用いられるインク組成物である。
【００２９】
図１に本発明のインク組成物が使用される記録装置の例を模式的に示す。
本発明のインク組成物を好適に使用することができる記録装置は、図１に示すように、インク吐出部に、基部電極（針状電極）とインク吐出電極とを有し、インク吐出電極から吐出するインク組成物の到達方向には、引き電極が形成されている。
【００３０】
図１において、引き電極は７１で示されており、インク吐出電極は７３で示されており、基部電極である針状電極は７５で示されている。
図１においてインクタンク７９の中には特定の含フッ素化合物と色材（剤）とからなるインク組成物７７が充填されている。このインクタンク７９には、外部からインク組成物が補給される。針状電極７５の先端は針状になっており、インク吐出電極７３の孔部と対向し、この針状電極７５とインク吐出電極７３との間のインク組成物に非一様電界を形成している。引き電極７１は、通常はインク吐出電極７３からのインク組成物が衝突する記録材料（図１においては記録材料（紙））８１の裏面に設けられている。
【００３１】
例えば上記図１に示される記録装置に本発明のインク組成物を供給し、基部電極とインク吐出電極との間、および／または、インク吐出電極と引き電極との間の電圧を変化させることにより、この電圧の変動により本発明のインク組成物をインク吐出電極から吐出させることができる。
【００３２】
本発明のインク組成物は、上記のような電圧の変化によって流動する一種のＥＣＦ流体であり、以下に示すように５種類の含フッ素化合物に分類される。
すなわち、本発明のインク組成物は以下に示される５種類含フッ素化合物を含有している。
【００３３】
式［Ｉ］で表される含フッ素エーテル化合物
式［II］で表される芳香族含フッ素化合物
式［III］で表されるパーフルオロアルケン
式［IV］で表されるフルオロアルカン
式［V］で表されるジクロロペンタフルオロプロパン
これらの含フッ素化合物は単独で使用することができることは勿論、２種類以上を組み合わせて使用することもできる。
【００３４】
こうした含フッ素化合物の内、含フッ素エーテル化合物は、次式［Ｉ］で表すことができる。
【００３５】
【化１１】
0004033564.tif 000007
【００３６】
ただし、上記式［Ｉ］において、
Ｚは、フッ素原子または水素原子であり、
Ｑは、−ＣＦ2−、−ＣＨ2−または−Ｃ6Ｈ4−のいずれかであり、
ｍは、１〜５の整数であり、
Ｘは、―（ＣaＨ2a）−、−（Ａ）bＣＨ（Ｂ）−、−ＣcＦ2c−、−ＣdＦ2d-2−および−ＣeＦ2e-4−よりなる群から選ばれる一種類の基であり（ここでＡは−ＣＦ2−または−ＣＦ2ＣＨ2−であり、Ｂは−ＣＦ3またはフッ素原子であり、ａは１〜３の整数、ｂは０または１、ｃは１〜１２の整数、ｄは２〜１２の整数、ｅは３〜１２の整数である）、
ｎは０または１〜１３の整数であり、
Ｙはフッ素原子または水素原子である。
【００３７】
このような式［Ｉ］で表される含フッ素エーテル化合物の例としては、
Ｃ4Ｆ9−Ｏ−ＣＨ3  （住友３Ｍ（株）製、商品名：ＨＦＥ−７１００）、
Ｃ4Ｆ9−Ｏ−Ｃ2Ｈ5  （住友３Ｍ（株）製、商品名：ＨＦＥ−７２００）、
Ｃ2Ｆ5−CH2−Ｏ−ＣＦ2ＣＦ2Ｈ、
Ｃ2Ｆ5−ＣＨ2−Ｏ−ＣＨ3、
Ｈ−Ｃ2Ｆ4−Ｏ−Ｃ2Ｈ5、
ＣＦ3−ＣＨＦ−ＣＦ2−Ｏ−Ｃ2Ｈ5、
（ＣＦ3）2ＣＨ−ＣＦ2−Ｏ−ＣＨ3、
Ｈ−Ｃ2Ｆ4−ＣＨ2−Ｏ−ＣＨＦ2、
Ｈ−Ｃ2Ｆ4−Ｏ−ＣＨ2−ＣＦ3、
および
アルキルパーフルオロアルケニルエーテル類（例；ＣfＨ2f+1−Ｏ−ＣgＦ2g-1（Ｆ＝1〜５、ｇ＝３〜１０）を挙げることができる。このような含フッ素エーテル化合物は単独であるいは組み合わせて使用することができる。
【００３８】
本発明で使用される芳香族含フッ素化合物は、式［II］で表すことができる。
【００３９】
【化１２】
0004033564.tif 000008
【００４０】
ただし、上記式［II］において、
Ｘは、それぞれ独立に、ＣjＦ2j+1  （ｊは１〜４の整数）であり、
Ｙはそれぞれ独立に塩素原子またはフッ素原子であり、
かつ０≦ｎ≦５、０≦ｍ≦５、０≦ｎ＋ｍ≦５の関係を有する。
【００４１】
このような式［II］で表される含フッ素芳香族化合物の例としては、
1,3-ビス（トリフルオロメチル）ベンゼン、1,4-ビス（トリフルオロメチル）ベンゼン、2,4-ジクロロベンゾトリフルオライド、1-クロロ-4-トリフルオロメチルベンゼン、ベンゾトリフルオライド、および、ベンゾトリフルオライド誘導体（コスモペトロテック（株）製、商品名；ペトロセーフゾルＤＭ（s）を挙げることができる。
【００４２】
これらの含フッ素芳香族化合物は単独であるいは組み合わせて使用することができる。
本発明で使用されるパーフルオロアルケンは、次式［III］で表すことができる。
【００４３】
【化１３】
0004033564.tif 000009
【００４４】
ただし、式［III］において、ｎは４〜１２の整数を表す。
このようなパーフルオロアルケンの例としては、ヘキサフルオロプロペンの２量体（Ｃ6Ｆ12；商品名：Dimers of hexafluoropropene, ダイキンファインケミカル研究所（株）製）、ヘキサフルオロプロペンの３量体(Ｃ9Ｆ18; Trimers of hexafluoropropene, ダイキンファインケミカル研究所（株）製)のようなヘキサフルオルプロペンの多量体を挙げることができる。
【００４５】
また、本発明で使用されるフルオロアルカンは、次式［IV］で表すことができる。
【００４６】
【化１４】
0004033564.tif 000010
【００４７】
ただし、式［IV］において、ｎは４〜１０の整数を表し、ＸおよびＹはそれぞれ独立に水素原子またはフッ素原子を表す。
このようなフルオロアルカンの例としては、パーフルオロヘキサン（Ｃ6Ｆ14;商品名：Perfluorohexane, ダイキンファインケミカル研究所（株）製）、パーフルオロオクタン（Ｃ8Ｆ18; 商品名：Perfluorooctane, ダイキンファインケミカル研究所（株）製）、(CF3)2CF(CF2)4CF(CF3)2 （商品名；Perfluoro-2,7-dimethylictane, ダイキンファインケミカル研究所（株）製）、Ｃ5Ｈ2Ｆ10(一般名：ＨＦＣ−４３−１０ｍｅｅ)を挙げることができる。これらは単独であるいは組み合わせて使用することができる。
【００４８】
本発明で使用されるジクロロペンタフルオロプロパンは次式［Ｖ］で表すことができる。
【００４９】
【化１５】
0004033564.tif 000011
【００５０】
このジクロロペンタフルオロプロパンの例としては、
【００５１】
【化１６】
0004033564.tif 000012
【００５２】
を挙げることができる。これらは単独であるいは組み合わせて使用することができる。
本発明のインク組成物には、インク組成物全量（１００重量部）中に、上記式［Ｉ］〜［Ｖ］で表される含フッ素化合物が、通常は５０〜１００重量部、好ましくは７０〜９９.５重量部の量で含有されている。すなわち、この含フッ素化合物自体が有色である場合には、特に色材を配合することなく、この含フッ素化合物を単独でインク組成物として使用することができる。
【００５３】
上記のような含フッ素化合物はほとんどが不燃性であり実質的にほとんどの化合物が引火点を有していない。このような含フッ素化合物を単独または不燃性化合物と組み合わせて使用することにより、不燃性のインク組成物を調整することができる。
【００５４】
本発明のインク組成物には、通常は色材（剤）が含有されている。一般に色材には、染料および顔料があり、本発明では公知の染料および顔料を使用することができる。このような染料および顔料が上述した含フッ素化合物に溶解もしくは分散されてインク組成物を形成する。
【００５５】
本発明において色材として使用することができる染料の例としては、アゾ染料、アントラキノン染料、インジゴイド染料、フタロシアニン染料、カルボニウムイオン染料、ニトロ染料、キナクリン染料、ナフトキノン染料等を挙げることができる。
【００５６】
本発明において色材として使用することができる顔料には無機顔料および有機顔料がある。
無機顔料の例としては、酸化亜鉛、リトポン、酸化チタン等の白色顔料、クロムイエロー、カドミウムイエロー、ニッケルチタンイエロー等の黄色顔料、ベンガラ、カドミウムレッド、モリブデンオレンジ等の赤色顔料、紺青、群青等の青色顔料、カーボンブラック等を挙げることができる。また、有機顔料の例としては、アゾ系顔料、フタロシアニン系顔料、金属錯塩顔料、トリフェニルメタン系顔料、パット顔料、キナクリドン系顔料、イソインドリノン系顔料等を挙げることができる。
【００５７】
これらの色材は、単独であるいは組み合わせて使用することができる。
本発明で用いられるインク組成物において、これらの色材は、上記含フッ素化合物１００重量部に対して、通常は０.１〜１５.０重量部、好ましくは、１〜５重量部の量で含有されている。
【００５８】
このような色材は、上記含フッ素化合物に単独で溶解もしくは分散させることができるが、こうした色材を含フッ素化合物に溶解もしくは分散させるために色材可溶化剤を用いることもできる。
【００５９】
このような色材可溶化剤の例としては、酢酸エチル、デカン二酸ジブチル等のエステル類、メチルエチルケトンなどのケトン類、トルエン、キシレン等の芳香族化合物を挙げることができる。このような色材可溶化剤は、色材を含フッ素化合物に溶解もしくは分散させることが困難な場合に単独であるいは組み合わせて使用される。こうした色材可溶化剤を用いて色材を含フッ素化合物に溶解もしくは分散させる場合には、色材可溶化剤は、含フッ素化合物１００重量部に対して通常は３５重量部以下、好ましくは５〜２０重量部の量で使用することができる。このような色材可溶化剤は単独であるいは組み合わせて使用することができる。
【００６０】
また、本発明のインク組成物には、上記成分の他に、本発明のインク組成物の特性を損なわない範囲内で、安定剤、分散剤、界面活性剤、増粘剤、レオロジー調製剤、インク定着性向上剤、揮発性調整剤、防腐・防黴剤、色調・光沢調整剤、乾燥性調整剤、インク拭き取り性調整剤等の添加剤を添加することができる。
【００６１】
殊に本発明のインク組成物は、紙などの記録媒体に印字する記録装置のインクとして使用する場合には、上記添加剤の他にバインダーを配合することもできる。また、このインク組成物を電子ボード（電子白板）記録装置のインクとして使用する場合には、バインダーを配合する必要はなく、むしろ、乾燥性調整剤（保湿剤）、インク拭き取り調整剤などを配合する。
【００６２】
こうした任意に添加することができる成分の中で、例えば安定剤としては、ＵＶ吸収剤（例：2,2'-ジヒドロキシ-4-メトキシベンゾフェノンなどのベンゾフェノン誘導体、ベンゾトリアゾール誘導体、置換アクリルニトリル誘導体、芳香族エステル誘導体、トリアジン誘導体等）を挙げることができる。また、高分子分散剤および界面活性剤の例としては、アニオン系界面活性剤（例：アルキルスルホン酸塩、アルキルアリールスルホン酸塩、スルホコハク酸エステル塩等）、カチオン系界面活性剤（例：第３級アミン塩、第４級アンモニウム塩、第３級スルホニウム塩、アルキルピリジニウム塩等）、ノニオン系界面活性剤（例：多価アルコール誘導体等）を挙げることができる。
【００６３】
上記のような添加物の配合量は、インク組成物の特性を損なわない範囲内で適宜選定することができるが、通常は電気感応作動媒体と色材との合計重量に対して３０重量％以下である。
【００６４】
本発明のインク組成物は、例えば上記の成分を混合することに製造することができる。
また、本発明のインク組成物は、使用温度における導電率および粘度が下記特定の範囲内にあることが好ましい。
【００６５】
本発明のインク組成物は、その使用温度における粘度および導電率を測定して、縦軸が粘度であり、横軸が導電率であるグラフ（図２）に表すと、下記表１に示される点Ｐ、点Ｑ、点Ｒ（好ましくは点Ｐ0、点Ｑ0、点Ｒ0）を頂点とする直角三角形の内部に位置する粘度および導電率を有していることが好ましい。
【００６６】
【表１】
0004033564.tif 000013
【００６７】
上記のような粘度および導電率を有するインク組成物は、基部電極とインク吐出電極との間、および／または、インク吐出電極と引き電極との間に電圧を印加することにより、良好にインク吐出電極であるノズルから記録媒体へ吐出する。
【００６８】
本発明のインク組成物は、例えば次のようにして使用することができる。
図１は、本発明のインク組成物を用いるための記録装置を模式的に示すものである。この記録装置には、インクケース７９と、このインクケース７９内に供給される本発明のインク組成物７７と、このインクケース内に配置された基部電極（針状電極）７５と、インク組成物を吐出するノズルとしても作用するインク吐出電極７３と、インク吐出電極７３から吐出されたインク組成物を引き寄せる引き電極７１とが備えられている。そして、引き電極７１とインク吐出電極７３との間には、紙などの記録媒体８１が移動可能に配置されている。基部電極７５、インク吐出電極７３、引き電極７１は、電気的に絶縁されており、それぞれの電極間で電圧を印加できるようにされている。
【００６９】
上記図１に示す記録装置を例にして本発明のインク組成物の使用例を説明する。
図１に示すように基部電極として針状電極７５を用い、インク吐出電極７３および引き電極７１を備えた記録装置を用いた本発明のインク組成物の使用方法には、図１に示すように、タイプＡ、タイプＢおよびタイプＣの３種類の電圧印加方式がある。
【００７０】
針状電極７５に印加する電圧をＶS 、インク吐出電極７３に印加する電圧をＶD、引き電極ＶPとすると、タイプＡでは、上記各電極の印加電圧の間に、ＶS、ＶP＞＞ＶDの関係を形成することにより、インク組成物を吐出させる。すなわち、針状電極の電圧ＶSがプラス電圧になるようにプラス電圧を印加し、インク吐出電極の電圧ＶDをアースして０Ｖとし、ＶSとＶDとの電位差によってはインク組成物の吐出には至らない程度に直流のプラス電圧を印加しておく。例えばこのプラス電圧を、通常は＋３KV〜＋６KV、好ましくは＋４KV〜＋５KVの範囲にすることにより、インク組成物は、インク吐出電極７３から吐出するには至らない。そして、引き電極の電圧を０Ｖ（ＧＮＤ）から＋４KV〜＋５KVに変動させることにより、インク組成物はインク吐出電極７３から引き電極７１に向かって吐出する。この方法では、針状電極の電圧ＶSとインク吐出電極の電圧ＶDとは一定に維持されており、引き電極の電圧ＶPのみを変動させて、上記３個の電極の間に、ＶS、ＶP＞＞ＶDの関係を形成している。そして、こうして吐出したインク組成物を、インク吐出電極７３と引き電極７１との間に記録材料（例：紙、電子黒板描画面）を介在させて記録する。
【００７１】
また、タイプＢおよびタイプＣでは、上記各電極の印加電圧の間に、ＶS、ＶP＜＜ＶDの関係を形成することにより、インク組成物を吐出させる。たとえばタイプＣでは、ＶSとＶDとの電位差によってはインク組成物の吐出には至らない程度に直流マイナス電圧を印加しておく。例えばこのマイナス電圧は、通常は−３KV〜−６KV、好ましくは−４〜−５KVの範囲にすることにより、インク組成物は、インク吐出電極７３から吐出するには至らない。そして、引き電極電圧を０Ｖ（ＧＮＤ）から−４KV〜−６KVに変動させることにより、インク組成物はインク吐出電極７３から引き電極７１に向かって吐出する。この方法では、針状電極の電圧ＶSとインク吐出電極の電圧ＶDとは一定に維持されており、引き電極の電圧ＶPのみを変動させて、上記３個の電極の間に、ＶS、ＶP＜＜ＶDの関係を形成している。そして、こうして吐出したインク組成物を、インク吐出電極７３と引き電極７１との間に介在させた記録材料で受けて記録する。同様に、タイプＢは、針状電極電圧ＶSを０Ｖ（ＧＮＤ）とし、この針状電極とインク吐出電極との間に直流のプラス電圧を印加しておく。例えばこのプラス電圧を、通常は＋３KV〜＋６KV、好ましくは＋４KV〜＋５KVの範囲にすることにより、インク組成物は、インク吐出電極７３から吐出するには至らない。そして、引き電極電圧を＋４KV〜+５KVから０Ｖ（ＧＮＤ）に変動させることにより、インク組成物はインク吐出電極７３から引き電極７１に向かって吐出する。この方法では、針状電極の電圧ＶSとインク吐出電極の電圧ＶDとは一定に維持されており、引き電極の電圧ＶPのみを変動させて、上記３個の電極の間に、ＶS、ＶP＜＜ＶDの関係を形成している。そして、こうして吐出したインク組成物を、インク吐出電極７３と引き電極７１との間に介在させた記録材料で受けて記録する。
【００７２】
上記のように本発明のインク組成物は、ポンプ等の駆動手段あるいはインク加熱手段を使用することなく、単に電極間に電圧を印加することにより、こうして形成される電極間の電位差によって吐出する。しかも、インク組成物が吐出する際に流れる電流は、極めてわずかであり、従って、電圧印加による発熱は通常は観察されない。
【００７３】
上記の記録装置は、本発明のインク組成物を使用するための記録装置の一例であり、本発明のインク組成物は、上記例示した記録装置のように電圧を印加して、電極間に生ずる電位差を利用した記録装置に使用可能である。
【００７４】
【発明の効果】
本発明のインク組成物は、特定の含フッ素化合物を含有しており、こうした特定の含フッ素化合物は、電圧を印加して非一様電界中では、電極間で移動流を形成する。本発明のインク組成物によれば、こうした電極間で形成される特定の含フッ素化合物の移動流を利用して、インク組成物をインク吐出電極から吐出させて記録することができる。本発明者は、電気感応作動媒体（ＥＣＦ流体）としては種々の化合物を開示したが、上記特定のフッ素化合物は、インク組成物を形成する電気感応作動媒体として特に優れている。
【００７５】
しかも、この特定の含フッ素化合物を用いたインク組成物は、不燃性であり、電極間に電圧を印加しても、引火の危険性がない。
さらに、乾燥性、飛着性、着色性、定着性など、インク組成物として必要な通常の要件に関しても本発明のインク組成物は優れた特性を示す。また、プロッター用のインクとして使用する場合には、拭き取り性および付着性のバランス、並びに、乾燥性と保湿性のバランスの調整も容易である。
【００７６】
【実施例】
次に本発明の実施例を示して本発明のインク組成物について説明するが、本発明は、これらによって限定されるものではない。
【００７７】
【実施例１〜１４、比較例１〜９】
図１に示すように、基部電極として針状電極を使用し、さらにインク吐出電極および引き電極を備えた記録装置を用意した。
【００７８】
この記録装置において、インク吐出電極の底端部と針状電極の先端との距離は３mmであり、インク吐出電極には、外径１．０mm、内径０.６mm、長さ５mmの銅管を使用した。また、引き電極には銅板を使用し、引き電極とインク吐出電極の先端との距離を２０mmに設定した。
【００７９】
インク組成物が、インク吐出電極から上方に配置された引き電極の方向に噴出するに針状電極、インク吐出電極、引き電極を配置した。針状電極全体およびノズル電極の下部１.５mmがインク組成物に浸漬するように配置し、針状電極と引き電極とを負極とし、直流マイナス５.８KVを印加し、インク吐出電極は、接地して正極とした。
【００８０】
以下に示す表に記載したＥＣＦ流体に色材を混合して着色してインク組成物を製造した。ここで色材としては、黒色アゾ染料（商品名：カヤセットブラック１５１−Ｈ、日本化薬（株）製）を使用し、インク組成物中における黒色アゾ染料の濃度が３重量％となるようにＥＣＦ流体に加えてインク組成物を製造した。また、ＥＣＦ流体の種類によっては黒色アゾ染料が溶解しにくい場合があり、この場合には、少量の酢酸エチルを色材可溶化剤として使用した。
【００８１】
上記のようにして製造したインク組成物について、測定した粘度は５.５×１０-4Pas、導電率は３.０×１０-8Sm-1であった。
また、このインク組成物についてインク組成物の噴出の状態およびそのときの電流値を測定した。結果を表２に示す。なお、この実験で使用した電流計の測定下限は０.０５ｍＡであり、表２において「＜０.０５ｍＡ」との表現は、この電流計における測定限界以下であったことを示す。また、引火点は、タグ密閉法により測定した。また、インク組成物の噴出状態において、
［ＡＡ］はインク組成物は引き電極まで勢いよく飛翔噴出し、噴出インク組成物は引き電極である銅板まで到達したことを表し、「ＢＢ」は、インク組成物は引き電極である銅板までは到達しないが、インク吐出電極から噴出し、インク吐出電極より上方に６〜１９mmの高さで噴出したことを表し、「ＣＣ」は、インク組成物の吐出高さが１〜５mmであったことを表し、「ＤＤ」は、インク組成物がインク吐出電極からは吐出しなかったことを表す。
【００８２】
【表２】
0004033564.tif 000014
【００８３】
【表３】
0004033564.tif 000015
【図面の簡単な説明】
【図１】図１は、本発明のインク組成物を使用するための記録装置の一例を模式的に示す図である。
【図２】図２は、本発明のインク組成物の粘度および導電率の関係を示すグラフである。
【符号の説明】
７１…引き電極
７３…インク吐出電極
７５…基部電極（針状電極）
７７…インク組成物
７９…インクタンク
８１…記録媒体（紙）
【図１】
0004033564.tif 000021
【図２】
0004033564.tif 000022